(57)【特許請求の範囲】
【請求項１】
ディスク状の基板の片面又は両面上に、該基板面に対して垂直方向に極性が変化する磁気特性を有する局所領域が、所定の離間距離ｐをもって複数個同心円状に配されてなる磁気記録媒体と、
前記磁気記録媒体に対して情報の書き込みを行う記録ヘッド及び前記磁気記録媒体から情報を読み出す再生ヘッドを設けた部位を含み、かつ、前記部位において記録ヘッドと前記再生ヘッドが所定の間隔ｄで局部的に配されてなる磁気ヘッドと、を備えた磁気記録再生装置であって、
前記記録ヘッドのギャップ中心位置と、前記再生ヘッドのギャップ中心位置とは、前記ｄがｄ＝ｎｐ（ｎは３）を満たすように配置されているとともに、前記磁気記録媒体における局所領域は磁気ビットであり、該磁気ビット自体に位置情報が記憶されていること、を特徴とする磁気記録再生装置。
【請求項２】
前記磁気記録媒体はサーボ情報（サーボパターン）領域が不要であること、を特徴とする請求項１に記載の磁気記録再生装置。
【請求項３】
前記再生ヘッドの読み取り信号の波形に基づき、再生ヘッドのギャップ中心位置と、前記磁気ビットの中心位置とを合せる構成を備えていること、を特徴とする請求項１に記載の磁気記録再生装置。
【発明の詳細な説明】
【技術分野】
【０００１】
本発明は、磁気記録再生装置に係り、より詳細には、パターンドメディアからなるディスク上のトラック追従性能に優れた磁気記録再生装置に関する。
【背景技術】
【０００２】
近年、ＩＴ産業等における技術革新に伴い、磁気記録媒体の大容量化・高速化・低コスト化の研究開発が盛んに行われてきている。該磁気記録媒体の大容量化・高速化・低コスト化のためには、該磁気記録媒体における記録密度の向上が必須である。従来より、該磁気記録媒体における連続磁成膜の面内記録により、該磁気記録媒体の記録密度を向上させる試みがなされてきたが、技術的には限界を迎えつつある。
【０００３】
例えば磁気記録媒体の記録密度を高めてゆくと、最小記録単位となる「記録ビット」の面積がどんどん小さくなり、それが一定の範囲より小さくなると「熱ゆらぎ」と呼ばれる現象が起こり、常温下においても長期間の記録磁界が維持できなくなってしまう。
【０００４】
そこで最近では、前記面内記録（長手磁気記録）に代わる新しい記録方式として「垂直磁気記録」方式が注目されてきた。垂直磁気記録は記録磁化反転での反磁界が磁化を強める方向に働くため、微細なビットでも熱安定性が高くなり高密度化に対応することができる。
【０００５】
また、更なる記録密度の向上を狙いとした技術として、パターンドメディア媒体を用いる垂直磁気記録媒体が提案されている。パターンドメディア媒体は、前記磁気記録媒体における磁性膜を、連続膜とせずにドット、バー、ピラー等のパターン状とし、そのサイズをナノメートルスケールにすることにより複雑磁区ではなく単磁区構造としたメディアを用いたものである（例えば、非特許文献１参照）。記録部をパターン化し個々の記録層を分離することによってサイドクロストークを低減化することができる。
【０００６】
一方、ＨＤＤドライブの性能向上のカギが磁気記録媒体の高記録密度化にあることは確かではあるが、記録密度さえ高めれば自然に性能が向上するわけではない。記録密度が高いということは、ディスクの回転数が同じなら、再生／記録ともに、より短い時間で行なわなければならないからである。また、微細なビットを正確に読み取りヘッドで捉える位置制御技術の向上が不可欠である。
【０００７】
従来の磁気記録媒体においては、シグナル情報ラインと、サーボ信号ラインとが設けられていた。
そして、記録を行う際には、前記サーボ信号ラインにて、まず磁気ヘッドにて位置制御信号を読み取り、磁気ヘッドの位置制御を行う。そしてセクタ、トラック位置を確認する。その後、所望トラックに信号を記録していた。
【０００８】
例えば特許文献１では、記録ヘッドと再生ヘッドとを備えた複合磁気ヘッドを用いるとともに、磁気記録媒体の記録面において、データ領域とサーボ信号領域とを含み、データ領域の記録トラックとサーボ信号領域の記録トラックを相互に半ピッチずらして配置することで、高記録密度化を図った磁気記録再生装置が提案されているが、十分ではない。
【０００９】
このように、磁気記録媒体上にサーボ信号領域を設けておくと、その分、記録領域が減ることになってしまう。また、磁気ヘッドの位置制御と、信号の記録とを個別に行っていたのでは、記録にも時間がかかってしまい、さらなる高記録密度記録の実現は難しかった。
【先行技術文献】
【特許文献】
【００１０】
【特許文献１】特開平５‐０７３８７２号公報
【非特許文献】
【００１１】
【非特許文献１】S.Y.Chou Proc.IEEE 85(4),652(1997)
【発明の概要】
【発明が解決しようとする課題】
【００１２】
本発明はこのような従来の実情に鑑みて考案されたものであり、記録速度を向上させ、更なる高密度記録化を実現可能な磁気記録再生装置を提供することを目的とする。
【課題を解決するための手段】
【００１３】
本発明の請求項１に記載の磁気記録再生装置は、ディスク状の基板の片面又は両面上に、該基板面に対して垂直方向に極性が変化する磁気特性を有する局所領域が、所定の離間距離ｐをもって複数個同心円状に配されてなる磁気記録媒体と、前記磁気記録媒体に対して情報の書き込みを行う記録ヘッド及び前記磁気記録媒体から情報を読み出す再生ヘッドを設けた部位を含み、かつ、前記部位において記録ヘッドと前記再生ヘッドが所定の間隔ｄで局部的に配されてなる磁気ヘッドと、を備えた磁気記録再生装置であって、前記記録ヘッドのギャップ中心位置と、前記再生ヘッドのギャップ中心位置とは、前記ｄがｄ＝ｎｐ（ｎは３）を満たすように配置されているとともに、前記磁気記録媒体における局所領域は磁気ビットであり、該磁気ビット自体に位置情報が記憶されていること、を特徴とする。
【発明の効果】
【００１４】
本発明の磁気記録再生装置に搭載される磁気ヘッドは、磁気記録媒体に対して情報の書き込みを行う記録ヘッド及び前記磁気記録媒体から情報を読み出す再生ヘッドを設けた部位を含み、かつ、前記部位において記録ヘッドと前記再生ヘッドが所定の間隔ｄで局部的に配されている。これに加えて、記録ヘッドのギャップ中心位置と、再生ヘッドのギャップ中心位置とが、ｄ＝ｎｐ（ｎは３）を満たす間隔ｄをもって配されている。ゆえに、本発明の磁気記録再生装置においては、再生ヘッドにて書き込み位置を確認後、ｎ（＝３）ビット後には記録ヘッドが該書き込み位置にくることがわかる。このように、前記局所領域自体に位置情報を記憶させておくことにより、ディスク上にサーボパターン領域を設けなくて済み、高密度記録化を実現できる。また、再生ヘッドにて書き込み位置を確認後、引き続き記録ヘッドにて信号を記録することができるので、記録速度を向上させることができる。その結果、本発明では更なる高密度記録化を実現可能な磁気記録再生装置を提供することができる。
【図面の簡単な説明】
【００１５】
【図１】本発明の磁気記録再生装置の一例を模式的に示す断面図。
【図２】本発明の磁気記録再生装置の一例を模式的に示す上面図。
【図３】磁気ヘッド及び磁気ビットの位置と、磁気信号との関係を示す図。
【発明を実施するための形態】
【００１６】
以下、本発明の磁気記録再生装置の好適な形態について説明する。
【００１７】
図１及び図２は、本発明の磁気記録再生装置の一例を模式的に示す図であり、図１は断面図、図２は上面図である。
本発明の磁気記録再生装置は、ディスク状の基板１０の片面又は両面（図１に示す例では片面）上に、該基板面に対して垂直方向に極性が変化する磁気特性を有する局所領域（磁気ビット３１）が、所定の離間距離ｐをもって複数個同心円状に配されてなる磁気記録媒体１と、前記磁気記録媒体１に対して情報の書き込みを行う記録ヘッド１１０、及び前記磁気記録媒体１から情報を読み出す再生ヘッド１２０からなる磁気ヘッド１００と、を備え、前記磁気ヘッド１００において、前記記録ヘッド１１０のギャップ中心位置と、前記再生ヘッド１２０のギャップ中心位置とは、ｄ＝ｎｐ（ｎは３以上の整数）を満たす間隔ｄをもって配されていること、を特徴とする。
【００１８】
本発明の磁気記録再生装置では、記録ヘッド１１０のギャップ中心位置と、再生ヘッド１２０のギャップ中心位置とが、ｄ＝ｎｐ（ｎは３以上の整数）を満たす間隔ｄをもって配されているので、再生ヘッド１２０にて書き込み位置を確認後、ｎビット後には記録ヘッド１１０が該書き込み位置にくることがわかる。このように、前記磁気ビット３１自体に位置情報を記憶させておくことにより、ディスク上にサーボパターン領域を設けなくて済み、高密度記録化を実現できる。また、再生ヘッド１２０にて書き込み位置を確認後、引き続き記録ヘッド１１０にて信号を記録することができるので、記録速度を向上させることができる。その結果、本発明の磁気記録再生装置では更なる高密度記録化を実現可能である。
【００１９】
垂直記録による記録方式にて、磁気記録媒体に対し磁気記録を行う一例としては、図１に示すように、垂直磁気記録方式の磁気ヘッド１００を、磁気記録媒体１の記録層３０に対向させる。
【００２０】
磁気記録媒体１は、セラミック等の非磁性体からなるディスク状の基板１０と、前記基板１０の片面上に、この順に配された下地層２０と記録層３０とを有している。
そして、磁気記録媒体１は、前記記録層３０において、基板面に対して垂直方向に極性が変化する磁気特性を有する磁気ビット３１（局所領域）が、所定の離間距離ｐをもって複数個同心円状に配されてなる。磁気ビット３１の列間には非磁性領域３２が設けられている。
具体的には後述するように、この磁気記録媒体１においては、サーボ情報領域を設けずに、磁気ビット３１自体に位置情報を記憶させておく。
【００２１】
磁気ヘッド１００は、磁気記録媒体１に対して情報の書き込みを行う記録ヘッド１１０、及び磁気記録媒体１から情報を読み出す再生ヘッド１２０からなる。なお、図１及び図２において示した磁気ヘッド１００は、記録ヘッド１１０と再生ヘッド１２０を設けた部位を拡大して示した部分模式図であり、その全体は省略して示してある。
磁気ヘッド１００において、記録ヘッド１１０及び再生ヘッド１２０としては、特に制限はなく、目的に応じて適宜選択することができる。記録ヘッド１１０としては、例えば、単磁極ヘッド等が好適に挙げられる。また、再生ヘッド１２０としては、例えば、ＧＭＲヘッド等が好適に挙げられる。
【００２２】
そして本発明の磁気記録再生装置では、前記磁気ヘッド１００において、前記記録ヘッド１１０のギャップ中心位置と、前記再生ヘッド１２０のギャップ中心位置とは、ｄ＝ｎｐ（ｎは３以上の整数）を満たす間隔ｄをもって配されていること、を特徴とする。
【００２３】
従来の磁気記録媒体では、ディスク面上にサーボ情報領域が設けられていた。このサーボ情報領域には、磁気ヘッド（記録ヘッド及び再生ヘッド）とトラックとの位置情報、及び、セクタ、トラックの記録再生領域情報の２つの情報が格納されている。
【００２４】
本発明では、ディスク面上にサーボ情報領域を設けずに、直接磁気ビットからトラック情報、ヘッド位置修正情報を得て再生及び記録をする。すなわち、磁気ビット自体に位置情報を記憶させておく。これによりディスク面上にサーボ情報領域を設けなくて済み、高密度記録化を実現できる。
【００２５】
以下、本発明の磁気記録再生装置におけるサーボ動作について説明する。なお、以下の説明では、ｎ＝３の場合を例に挙げて説明する。なお、本発明ではこの例に限定されるものではなく、ｎ＝３以外の場合にも同様に適用可能である。
【００２６】
（１）まず、磁気記録媒体１において、磁気ビット３１の配置にルールを設けておく。例えば、図１（ａ）に示すように、回転方向において、磁気ビット３１の磁気パターンを「Ｎ極、Ｎ極、Ｎ極、Ｓ極」と設定しておく。このとき、回転の最初から３つめまでは、Ｎ極、Ｎ極、Ｎ極の磁気ビット３１ｎをセクタと認識させ、Ｓ極の磁気ビット３１ｐをセクタのエッジ（境界）と認識させる。
【００２７】
（２）そして、磁気ヘッド１００を内径から外径方向にスキャンして、磁気ビットのトラック数とトラックピッチを入手する。線速度一定にて回転する磁気記録媒体１に対する、磁気ヘッド１００の移動角度θを記憶させておく。
【００２８】
（３）トラック位置の設定後に、読み取り信号波形が最大となるように、再生ヘッド１２０のギャップの中心位置と、磁気ビット３１の中心位置とを合わせる。
ここで、図３は、図２における磁気ヘッド１００と磁気ビット３１との位置と、磁気信号との関係を示す図である。図２中、Ｂ、Ｃの位置、すなわち磁気ビット３１の中心から離れたところを磁気ヘッド１００が走行した場合、図３（ｂ）（ｃ）に示すように、読み取り磁気信号の波形が小さくなるが、図２中、Ａの位置、すなわち磁気ビット３１の中心上を磁気ヘッド１００が走行した場合、図３（ａ）に示すように、読み取り磁気信号の波形は大きくなる。すなわち、図３（ａ）に示すように、波形の高さが一番大きくなるところを磁気ヘッド１００が走行するようにする。これにより再生ヘッド１２０のギャップの中心位置と、磁気ビット３１の中心位置とを合わせることができる。
【００２９】
（４）そして、基板１０走行時にピックアップされる磁気ビット３１信号の周波数を再生ヘッド１２０にて確認した後に、記録ヘッド１１０にて、所望の磁化を磁気ビット３１に書き込む。
図１（ａ）に示すように、磁気ビットの上に磁気ヘッド１００がのったとき、再生ヘッド１２０でＳ極の磁気ビット３１ｓの位置［図１（ａ）に点線で表示した位置］を認識する。このとき、記録ヘッド１１０のギャップ中心位置と、再生ヘッド１２０のギャップ中心位置とは、ｄ＝３ｐだけ離間して配されているので、図１（ｂ）に示すように、再生ヘッド１２０でＳ極の磁気ビット３１ｓの位置［図１（ｂ）に点線で表示した位置］を認識した３ビット後には、記録ヘッド１１０がＳ極の磁気ビット３１ｓの位置にくると判断できる。すなわち、再生ヘッド１２０でＳ極の磁気ビット３１ｓの位置を認識してから３ビット後に、書き込みヘッドで書き込みを始める。
【００３０】
このように本発明では、磁気ビット自体に位置情報を記憶させておくことにより、ディスク上にサーボパターン領域を設けなくて済み、高密度記録化を実現できる。また、再生ヘッドにて書き込み位置を確認後、引き続き記録ヘッドにて信号を記録することができるので、記録速度を向上させることができる。その結果、本発明の磁気記録再生装置では、更なる高密度記録化を実現可能である。
【００３１】
以上、本発明の磁気記録再生装置について説明してきたが、本発明は上述した例に限定されるものではなく、発明の趣旨を逸脱しない範囲で適宜変更可能である。
【産業上の利用可能性】
【００３２】
本発明は、ディスク状の磁気記録媒体と、磁気ヘッドとを備えた磁気記録再生装置に適用可能である。
【符号の説明】
【００３３】
１  磁気記録媒体、１０  基板、２０  下地層、３０  記録層、３１  磁気ビット（局所領域）、３２  非磁性領域、１００  磁気ヘッド、１１０  記録ヘッド、１２０  再生ヘッド。
【図１】
0005620664.tif 000002
【図２】
0005620664.tif 000003
【図３】
0005620664.tif 000004